(57)【要約】【課題】放送ＴＳの有効利用を図れる伝送システム及びその方法と、多重化装置及び再構築装置を提供すること。【解決手段】少なくとも一以上の放送ＴＳを、少なくとも一以上の他の放送ＴＳに多重化して伝送する伝送システムであって、所定の放送ＴＳのうちヌルパケットを除いたＴＳパケットのダミーバイト部の一部の情報を所定の放送ＴＳのＴＳパケットであることを識別する識別情報に変更すると共に、他のダミーバイト部の情報を、放送ＴＳを多重する他の放送ＴＳのダミーバイト部の情報に変更し、他の放送ＴＳのヌルパケットの代わりに、ダミーバイト部の情報を変更した所定の放送ＴＳのＴＳパケットを多重する多重化手段と、ダミーバイト部の識別情報に基づいて、所定の放送ＴＳが多重化された放送ＴＳから所定の放送ＴＳのＴＳパケットを抽出し、抽出されたＴＳパケットのダミーバイト部を復元し、所定の放送ＴＳを再構築する再構築手段とを有する。【選択図】図２
2010252136.tif 000002
【特許請求の範囲】
【請求項１】
少なくとも一以上の放送ＴＳ（Ｔｒａｎｓｐｏｒｔ  Ｓｔｒｅａｍ）を、少なくとも一以上の他の放送ＴＳに多重化して伝送する伝送システムであって、
所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重する多重化手段と、
前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築する再構築手段と
を有することを特徴とする伝送システム。
【請求項２】
前記多重化手段は、前記ダミーバイト部のLayer_indicatorの情報を、前記所定の放送ＴＳであることを識別する識別情報に変更し、
前記再構築手段は、前記ダミーバイト部のLayer_indicatorの情報に基づいて、前記所定の放送ＴＳが多重化された放送ＴＳから前記所定の放送ＴＳのＴＳパケットを抽出する
ことを特徴とする請求項１に記載の伝送システム。
【請求項３】
前記多重化手段は、前記所定の放送ＴＳのＴＳパケットがＡＣデータを送る場合にはAC_data_effective_bytesの情報を変更する
ことを特徴とする請求項１に記載の伝送システム。
【請求項４】
前記再構築手段は、
所定の放送ＴＳのＴＳパケットが多重された放送ＴＳのＴＳパケットにおけるダミーバイト部のLayer_indicatorを参照し、前記所定の放送ＴＳのＴＳパケットが多重された放送ＴＳから前記所定の放送ＴＳのＴＳパケットを抽出する抽出手段と、
前記所定の放送ＴＳのＩＩＰ（ISDB-T Information Packet）を取得してＭＣＣＩデータを抽出し、前記ＭＣＣＩデータに基づいて、前記所定の放送ＴＳのフレーム多重パターンを計算するフレーム多重パターン計算手段と、
前記所定の放送ＴＳのＴＳパケットが多重された放送ＴＳのＭＣＣＩデータに基づいて、少なくともLayer_indicator又はAC_data_effective_bytes以外のダミーバイト部の情報を復元し、Layer_indicator又はAC_data_effective_bytesについては前記所定の放送ＴＳのLayer_indicator又はAC_data_effective_bytesに戻し、前記所定の放送ＴＳにおけるＴＳパケットのダミーバイト部の情報を復元するダミーバイト部復元手段と、
前記計算されたフレーム多重パターンに基づいて、前記抽出した所定の放送ＴＳのＴＳパケットの間にヌルパケットを挿入し、前記所定の放送ＴＳを再構築し、前記再構築された放送ＴＳのＴＳパケットのダミーバイト部を復元された情報に置換し、前記所定の放送ＴＳを復元する放送ＴＳ復元手段と
を有することを特徴とする請求項２又は請求項３に記載の伝送システム。
【請求項５】
前記多重化手段は、少なくとも１以上の所定の放送ＴＳのＴＳパケットを、少なくとも１以上の他の放送ＴＳに分配する分配手段を有し、かつ、多重する前記所定の放送ＴＳのＴＳパケットのダミーバイト部におけるTSP_counterの値を前記所定の放送ＴＳのＴＳパケットのTSP_counterの値にし、
前記再構築手段は、各放送ＴＳから抽出された前記所定の放送ＴＳのＴＳパケットを、前記ダミーバイト部のTSP_counterの値に基づいて並び替える
ことを特徴とする請求項１から請求項４のいずれかに記載の伝送システム。
【請求項６】
放送ＴＳが伝送される各ＳＴＬ／ＴＴＬ回線を監視し、いずれかの回線の障害を監視する監視手段を有し、
前記分配手段は、前記監視手段によって障害が検出された回線の放送ＴＳのＴＳパケットを、少なくとも１以上の他の放送ＴＳに分配する
ことを特徴とする請求項５に記載の伝送システム。
【請求項７】
少なくとも一以上の放送ＴＳ（Ｔｒａｎｓｐｏｒｔ  Ｓｔｒｅａｍ）を、少なくとも一以上の他の放送ＴＳに多重化する多重化装置であって、
所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重する多重化手段を有することを特徴とする多重化装置。
【請求項８】
所定の放送ＴＳのうちヌルパケットを除いたＴＳパケットのダミーバイト部の一部の情報が前記所定の放送ＴＳのＴＳパケットであることを識別する識別情報に変更されて、そのＴＳパケットが多重された放送ＴＳを受信し、その放送ＴＳから前記所定の放送ＴＳを再構築する再構築装置であって、
前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築する再構築手段を有することを特徴とする再構築装置。
【請求項９】
少なくとも一以上の放送ＴＳ（Ｔｒａｎｓｐｏｒｔ  Ｓｔｒｅａｍ）を、少なくとも一以上の他の放送ＴＳに多重化して伝送する伝送方法であって、
送信側は、所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重し、
受信側は、前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築する
ことを特徴とする伝送方法。
【請求項１０】
前記送信側は、前記ダミーバイト部のLayer_indicatorの情報を、前記所定の放送ＴＳであることを識別する識別情報に変更し、
前記受信側は、前記ダミーバイト部のLayer_indicatorの情報に基づいて、前記所定の放送ＴＳが多重化された放送ＴＳから前記所定の放送ＴＳのＴＳパケットを抽出する
ことを特徴とする請求項９に記載の伝送方法。
【請求項１１】
前記送信側は、前記所定の放送ＴＳのＴＳパケットがＡＣデータを送る場合にはAC_data_effective_bytesの情報を変更する
ことを特徴とする請求項９に記載の伝送方法。
【請求項１２】
前記受信側は、
所定の放送ＴＳのＴＳパケットが多重された放送ＴＳのＴＳパケットにおけるダミーバイト部のLayer_indicatorを参照し、前記所定の放送ＴＳのＴＳパケットが多重された放送ＴＳから前記所定の放送ＴＳのＴＳパケットを抽出し、
前記所定の放送ＴＳのＩＩＰ（ISDB-T Information Packet）を取得してＭＣＣＩデータを抽出し、前記ＭＣＣＩデータに基づいて、前記所定の放送ＴＳのフレーム多重パターンを計算し、
前記所定の放送ＴＳのＴＳパケットが多重された放送ＴＳのＭＣＣＩデータに基づいて、少なくともLayer_indicator又はAC_data_effective_bytes以外のダミーバイト部の情報を復元し、Layer_indicator又はAC_data_effective_bytesについては前記所定の放送ＴＳのLayer_indicator又はAC_data_effective_bytesに戻し、前記所定の放送ＴＳにおけるＴＳパケットのダミーバイト部の情報を復元し、
前記計算されたフレーム多重パターンに基づいて、前記抽出した所定の放送ＴＳのＴＳパケットの間にヌルパケットを挿入し、前記所定の放送ＴＳを再構築し、前記再構築された放送ＴＳのＴＳパケットのダミーバイト部を復元された情報に置換し、前記所定の放送ＴＳを復元する
ことを特徴とする請求項１０又は請求項１１に記載の伝送方法。
【請求項１３】
前記送信側は、少なくとも１以上の所定の放送ＴＳのＴＳパケットを、少なくとも１以上の他の放送ＴＳに分配し、多重する前記所定の放送ＴＳのＴＳパケットのダミーバイト部におけるTSP_counterの値を前記所定の放送ＴＳのＴＳパケットのTSP_counterの値にして多重し、
前記受信側は、各放送ＴＳから抽出された前記所定の放送ＴＳのＴＳパケットを、前記ダミーバイト部のTSP_counterの値に基づいて並び替える
ことを特徴とする請求項９から請求項１２のいずれかに記載の伝送方法。
【請求項１４】
前記送信側は、
放送ＴＳが伝送される各ＳＴＬ／ＴＴＬ回線を監視し、いずれかの回線の障害を検出し、
障害が検出された回線の放送ＴＳのＴＳパケットを、少なくとも１以上の他の放送ＴＳに分配する
ことを特徴とする請求項１３に記載の伝送方法。
【請求項１５】
少なくとも一以上の放送ＴＳ（Ｔｒａｎｓｐｏｒｔ  Ｓｔｒｅａｍ）を、少なくとも一以上の他の放送ＴＳに多重化する多重化装置のプログラムであって、
所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更する処理と、
前記他の放送ＴＳのヌルパケットの代わりに、前記ダミーバイト部の情報を変更した所定の放送ＴＳのＴＳパケットを多重する処理と
を多重化装置に実行させることを特徴とするプログラム。
【請求項１６】
所定の放送ＴＳのうちヌルパケットを除いたＴＳパケットのダミーバイト部の一部の情報が前記所定の放送ＴＳのＴＳパケットであることを識別する識別情報に変更されて、そのＴＳパケットが多重された放送ＴＳを受信し、その放送ＴＳから前記所定の放送ＴＳを再構築する再構築装置のプログラムであって、
前記ダミーバイト部の識別情報に基づいて、前記所定の放送ＴＳが多重化された放送ＴＳから前記所定の放送ＴＳのＴＳパケットを抽出する処理と、
前記抽出されたＴＳパケットのダミーバイト部を復元し、前記所定の放送ＴＳを再構築する処理と
を再構築装置に実行させることを特徴とするプログラム。
【発明の詳細な説明】
【技術分野】
【０００１】
本発明は、伝送システム及びその方法と、多重化装置、再構築装置及びプログラムとに関する。
【背景技術】
【０００２】
近時、地上デジタル放送の運用開始されている。この地上デジタル放送における中継伝送では、従来のアナログ放送とは異なり、特許文献１に開示されているように、放送波を利用するのではなく、マイクロ波回線、光回線などの別回線によるＳＴＬ（Ｓｔｕｄｉｏ ｔｏ Ｔｒａｎｓｍｉｔｔｅｒ Ｌｉｎｋ）またはＴＴＬ（Ｔｒａｎｓｍｉｔｔｅｒ ｔｏ Ｔｒａｎｓｍｉｔｔｅｒ Ｌｉｎｋ）を利用し、多段中継している。
【０００３】
このような状況下において、運用上の安全性からＴＴＬ等の予備回線を構築することが好ましい。
【先行技術文献】
【特許文献】
【０００４】
【特許文献１】特開２００４−１６５７５３号公報
【発明の概要】
【発明が解決しようとする課題】
【０００５】
予備回線を構築する場合、現状の使用系統の他に何系統かのＴＴＬ系を構築する必要がある。
【０００６】
しかしながら、新たなＴＴＬ系を構築する為には新しい周波数を確保することが必要となるが、新たに周波数を確保することは困難であった。
【０００７】
また、増設する予備系の為のＴＴＬ系の送受装置が必要となり、コストの増加につながり、たとえ、予備回線に光回線を用意する場合もコストアップとなるため、一部の重要拠点のみの使用に限定されていた。
【０００８】
更に、ＴＴＬ系を２重化しても、使用している周波数に周波数選択性の妨害などが生じた場合、回線断となってしまうという問題があった。
【０００９】
一方、現在運用されている放送ＴＳの伝送レートは、約32.5Mbps程度であるが、実際に使用している伝送レートは約18.7Mbps（現バラメータ運用時）であり、その他は伝送レートを一定に保つため、実際には使用しない未使用領（ＮＵＬＬ）を伝送している伝送レートが約12.7M（188byte値）程度ある。従って、回線の有効利用という観点では、かならずしも好ましいものではなかった。
【００１０】
そこで、本発明は上記課題に鑑みて発明されたものであって、その目的は放送ＴＳの有効利用を図れる伝送システム及びその方法と多重化装置、再構築装置及びプログラムとを提供することにある。
【課題を解決するための手段】
【００１１】
上記課題を解決する本発明は、少なくとも一以上の放送ＴＳ（Ｔｒａｎｓｐｏｒｔ  Ｓｔｒｅａｍ）を、少なくとも一以上の他の放送ＴＳに多重化して伝送する伝送システムであって、所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重する多重化手段と、前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築する再構築手段とを有することを特徴とする伝送システムである。
【００１２】
上記課題を解決する本発明は、少なくとも一以上の放送ＴＳ（Ｔｒａｎｓｐｏｒｔ  Ｓｔｒｅａｍ）を、少なくとも一以上の他の放送ＴＳに多重化する多重化装置であって、所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重する多重化手段を有することを特徴とする多重化装置である。
【００１３】
上記課題を解決する本発明は、所定の放送ＴＳのうちヌルパケットを除いたＴＳパケットのダミーバイト部の一部の情報が前記所定の放送ＴＳのＴＳパケットであることを識別する識別情報に変更されて、そのＴＳパケットが多重された放送ＴＳを受信し、その放送ＴＳから前記所定の放送ＴＳを再構築する再構築装置であって、前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築する再構築手段を有することを特徴とする再構築装置である。
【００１４】
上記課題を解決する本発明は、少なくとも一以上の放送ＴＳ（Ｔｒａｎｓｐｏｒｔ  Ｓｔｒｅａｍ）を、少なくとも一以上の他の放送ＴＳに多重化して伝送する伝送方法であって、送信側は、所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更し、前記他の放送ＴＳのヌルパケットの代わりに、前記ダミーバイト部の情報を変更した所定の放送ＴＳのＴＳパケットを多重し、受信側は、前記ダミーバイト部の識別情報に基づいて、前記所定の放送ＴＳが多重化された放送ＴＳから前記所定の放送ＴＳのＴＳパケットを抽出し、前記抽出されたＴＳパケットのダミーバイト部を復元し、前記所定の放送ＴＳを再構築することを特徴とする伝送方法である。
【００１５】
上記課題を解決する本発明は、少なくとも一以上の放送ＴＳ（Ｔｒａｎｓｐｏｒｔ  Ｓｔｒｅａｍ）を、少なくとも一以上の他の放送ＴＳに多重化する多重化装置のプログラムであって、所定の放送ＴＳのうちヌルパケットを除いたＴＳパケットのダミーバイト部の一部の情報を前記所定の放送ＴＳのＴＳパケットであることを識別する識別情報に変更すると共に、他のダミーバイト部の情報を、前記放送ＴＳを多重する他の放送ＴＳのダミーバイト部の情報に変更する処理と、前記他の放送ＴＳのヌルパケットの代わりに、前記ダミーバイト部の情報を変更した所定の放送ＴＳのＴＳパケットを多重する処理とを多重化装置に実行させることを特徴とするプログラムである。
【００１６】
上記課題を解決する本発明は、所定の放送ＴＳのうちヌルパケットを除いたＴＳパケットのダミーバイト部の一部の情報が前記所定の放送ＴＳのＴＳパケットであることを識別する識別情報に変更されて、そのＴＳパケットが多重された放送ＴＳを受信し、その放送ＴＳから前記所定の放送ＴＳを再構築する再構築装置のプログラムであって、前記ダミーバイト部の識別情報に基づいて、前記所定の放送ＴＳが多重化された放送ＴＳから前記所定の放送ＴＳのＴＳパケットを抽出する処理と、前記抽出されたＴＳパケットのダミーバイト部を復元し、前記所定の放送ＴＳを再構築する処理とを再構築装置に実行させることを特徴とするプログラムである。
【発明の効果】
【００１７】
本発明によれば、放送ＴＳの未使用領域を有効に活用することで、放送ＴＳを伝送する周波数の有効利用が可能となる。
【図面の簡単な説明】
【００１８】
【図１】図１は放送ＴＳパケットのフォーマット構造を示した図である。
【図２】図２は本発明を説明するための図である。
【図３】図３は第１の実施の形態の構成を示す図である。
【図４】図４は多重化装置１のブロック図である。
【図５】図５は多重化装置１の動作フローチャートである。
【図６】図６は再構築装置２のブロック図である。
【図７】図７は再構築装置２の動作フローチャートである。
【図８】図８は第２の実施の形態の構成を示す図である。
【図９】図９は第２の実施の形態の中継装置１０のブロック図である。
【図１０】図１０は第２の実施の形態の中継装置１０の動作フローチャートである。
【図１１】図１１は第２の実施の形態の中継装置１０の再構築装置２のブロック図である。
【図１２】図１２は第２の実施の形態における再構築装置２の動作フローチャートである。
【図１３】図１３は第３の実施の形態における中継装置１０のブロック図である。
【発明を実施するための形態】
【００１９】
本発明による放送ＴＳの多重化方法を説明する。
【００２０】
まず、現在の放送ＴＳパケットを説明する。図１は放送ＴＳパケットのフォーマット構造を示している。放送ＴＳパケット（２０４バイト）は、番組データ格納領域（１８８バイト）、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）などが格納されるダミーバイト部格納領域（８バイト）、パリティ格納領域（８バイト）で構成される。
【００２１】
次に、図１に示すような放送ＴＳにおいて、図２に示す如く、多重化装置１により、放送ＴＳ１に放送ＴＳ２を多重する場合を考える。
【００２２】
放送ＴＳ１には、伝送レートを一定にするため、Ｎｕｌｌパケットと呼ばれる実データのないパケットが挿入されている。そこで、放送ＴＳ１に放送ＴＳ２を多重する際、そのＮｕｌｌパケットの代わりに、放送ＴＳ２のＮｕｌｌパケット以外の放送ＴＳパケットを多重する。
【００２３】
しかし、放送ＴＳ１のＮｕｌｌパケットの代わりに、放送ＴＳ２のＮｕｌｌパケット以外のＴＳパケットを多重しただけでは、放送ＴＳ１が正常とはならず、正しく伝送できない。
【００２４】
そこで、放送ＴＳ２のＴＳパケットのダミーバイト部格納領域の基本情報を、放送ＴＳ１用の情報に置き換える。
【００２５】
ここで、ダミーバイト部格納領域の基本情報のうち、ＴＭＣＣ識別、緊急放送用起動制御、変更指示、フレーム先頭フラグ、フレーム同期識別、伝送パラメータ切替指標は、放送ＴＳ２のＩＩＰ（ISDB-T Information Packet）のＭＣＣＩデータから得ることができるので、放送ＴＳ１の情報に置き換えても問題とはならない。また、バッファリセットフラグは地上デジタル放送では０の固定なので問題ない。
【００２６】
しかし、放送ＴＳ２のＴＳパケットであることの識別情報及び階層情報が必要となるので、ダミーバイト部格納領域のLayer_indicatorを用いてＴＳパケットが放送ＴＳ２のＴＳパケットであること、及びその階層を識別する識別情報を付与する。具体的には、Layer_indicatorは、事業者が独自のデータを多重するＴＳパケットであることを識別する識別子（0100〜0111又は1001〜1111）であり、多重する放送ＴＳ２のＴＳパケットのLayer_indicatorを放送ＴＳ２用に用意された識別子（0100〜0111又は1001〜1111のいずれか）に変更する。尚、事業者独自データは、追加された階層情報と重ならないように他の事業者と調整しておく。
【００２７】
尚、TSP_counterについては、多重する放送ＴＳ２のＴＳパケットのTSP_counterの値をそのまま付与するようにしても良い。このようにすることにより、放送ＴＳ２を再構築する際に、放送ＴＳ２が複数の放送ＴＳに多重された場合であっても、放送ＴＳ２を再構築する際に放送ＴＳ２のＴＳパケットの順序がわかる。
【００２８】
また、放送ＴＳ２のAC_data_effective_bytesについては、４バイトのうち２バイトづつを、放送ＴＳ１及び放送ＴＳ２との識別に用いる。具体的には、００は放送ＴＳ１のＡＣデータで１ｂｙｔｅ使用時、０１は放送ＴＳ１のＡＣデータで２ｂｙｔｅ使用時、１０は放送ＴＳ２のＡＣデータで１ｂｙｔｅ使用時、１１は放送ＴＳ２のＡＣデータで２ｂｙｔｅ使用時として識別する。
【００２９】
このようにしてダミーバイト部格納領域の情報が変更された放送ＴＳ２のＴＳパケットを、放送ＴＳ１のＮｕｌｌパケットに代わりに放送ＴＳ１に多重する。
【００３０】
次に、再構築装置２により、放送ＴＳ１から放送ＴＳ２を再構築して復元する場合を説明する。
【００３１】
まず、放送ＴＳ１のＴＳパケットのダミーバイト部のLayer_indicatorを参照して、放送ＴＳ１から放送ＴＳ２のＴＳパケットを抽出する。尚、ひとつの放送ＴＳに多重する場合には、抽出した順に放送ＴＳ２のＴＳパケットを並べれば、ＮＵＬＬパケットを除くパケットは順番通りに並ぶ。しかし、複数の放送ＴＳに多重する場合には、ＴＳパケットの順番がわからないので、上述したとおり、TSP_counterを用いて、抽出した放送ＴＳ２のＴＳパケットを並べる。
【００３２】
また、放送ＴＳ１からＭＣＣＩデータを抽出し、ＭＣＣＩデータを基に放送ＴＳ２のフレーム多重パターンを計算する。そして、計算されたフレーム多重パターンに基づいて、抽出された放送ＴＳ２のＴＳパケットにＮＵＬＬパケットを挿入し、放送ＴＳ２を再構築する。
【００３３】
一方、抽出されたＭＣＣＩデータを基に、再構築された放送ＴＳ２のＴＳパケットのLayer_indicator及びAC_data_effective_bytes以外のダミーバイト部の情報を復元する。また、再構築された放送ＴＳ２のＴＳパケットのLayer_indicator及びAC_data_effective_bytesについて、放送ＴＳ２のものに変換する。
【００３４】
このようにして、放送ＴＳ２のＴＳパケットのダミーバイト部の情報を復元し、放送ＴＳ２を復元する。
【００３５】
以下、具体的な実施の形態を説明する。
＜第１の実施の形態＞
第１の実施の形態は、ＳＴＬ／ＴＴＬ回線を用いて、ひとつの放送ＴＳにひとつの放送ＴＳを多重して中継する場合を説明する。
【００３６】
図３は第１の実施の形態の構成図である。図３に示す如く、中継装置１０が放送ＴＳ１と放送ＴＳ２とを入力し、放送ＴＳ２のＴＳパケットを放送ＴＳ１に多重して送出する。中継装置２０は、放送ＴＳ１を受信し、放送ＴＳ１から放送ＴＳ２のＴＳパケットを分離して放送ＴＳ２を再構築して復元し、放送ＴＳ１と放送ＴＳ２とを送出する。
【００３７】
中継装置１０は上述した多重化装置１を備えており、中継装置２０は上述した再構築装置２を備えている。尚、理解を容易とするために、中継装置１０が多重化装置１を備え、中継装置２０が再構築装置２を備えている場合を説明するが、中継装置１０，２０が多重装置１と再構築装置２との双方を備えていても良い。また、中継装置１０，２０は多重装置１及び中継装置２０以外にも、放送ＴＳを受信する受信部（周波数変換）や、変調又は復調を行う変調部又は復調部等を有するが、従来のものと変わらないので、説明を省略する。
【００３８】
まず、中継装置１０が備える多重化装置１の構成及び動作について説明する。
【００３９】
多重化装置１は、図４に示す如く、ＮＵＬＬパケット削除部１１と、ダミーバイト部変更部１２と、多重化部１３とを備える。
【００４０】
ＮＵＬＬパケット削除部１１は、放送ＴＳ２からＮＵＬＬパケットを削除する。
【００４１】
ダミーバイト部変更部１２は、ＮＵＬＬパケットが削除された放送ＴＳ２のＴＳパケットのダミーバイト部を、上述した多重用の情報に書き換える。
【００４２】
多重化部１３は、ダミーバイト部が変更された放送ＴＳ２のＴＳパケットを、放送ＴＳ１のＮＵＬＬパケットの代わりに放送ＴＳ１に多重する。
【００４３】
続いて、図５の動作フローチャートを用いて、多重化装置１の動作を説明する。
【００４４】
まず、多重化装置１に放送ＴＳ１と放送ＴＳ２とが入力される（Ｓｔｅｐ１００）。
【００４５】
ＮＵＬＬパケット削除部１１は、放送ＴＳ２からＮＵＬＬパケットを削除する（Ｓｔｅｐ１０１）。
【００４６】
ダミーバイト部変更部１２は、ＮＵＬＬパケットが削除された放送ＴＳ２のＴＳパケット（２０４バイト）のダミーバイト部を書き換える。具体的には、ＴＳパケット（２０４バイト）のうち、実データ（１８８バイト）はそのまま、８バイトのダミーデータ部の情報の変更を行う。変更を行うものは、Layer_indicator及びAC_data_effective_bytesである（Ｓｔｅｐ１０２）。Layer_indicatorは、事業者が独自のデータを多重するＴＳパケットであることを識別する識別子（1001〜1111）を用いて、放送ＴＳ２の階層情報に変更する。また、AC_data_effective_bytesについては、４バイトのうち２バイトづつを各ＴＳの識別に用いる。
【００４７】
続いて、Layer_indicator及びAC_data_effective_bytes以外のダミーバイト部の情報については、放送ＴＳ１用に変更する（Ｓｔｅｐ１０３）。
【００４８】
多重化部１３は、ダミーバイト部が変更された放送ＴＳ２のＴＳパケットを、放送ＴＳ１のＮＵＬＬパケットの代わりに多重する（Ｓｔｅｐ１０４）。
【００４９】
放送ＴＳ２のＴＳパケットが多重された放送ＴＳ１を送出する（Ｓｔｅｐ１０５）。
【００５０】
次に、中継装置２０が備える再構築装置２の構成及び動作について説明する。
【００５１】
再構築装置２は、図６に示す如く、分離部２１と、ＭＣＣＩデータ抽出部２２と、フレーム多重パターン計算部２３と、ダミーバイト部復元部２４と、ＮＵＬＬパケット挿入部２５と、ダミーバイト部置換部２６とを備える。
【００５２】
分離部２１は、放送ＴＳ１のＴＳパケットにおけるダミーバイト部のLayer_indicatorを参照し、放送ＴＳ１のＴＳパケットから放送ＴＳ２のＴＳパケットを抽出する。
【００５３】
ＭＣＣＩデータ抽出部２２は、放送ＴＳ１から放送ＴＳ２のＩＩＰ（ISDB-T Information Packet）を取得して、ＭＣＣＩデータを抽出する。
【００５４】
フレーム多重パターン計算部２３は、抽出されたＭＣＣＩデータに基づいて、放送ＴＳ２のフレーム多重パターンを計算する。
【００５５】
ダミーバイト部復元部２４は、抽出されたＭＣＣＩデータに基づいて、Layer_indicator及びAC_data_effective_bytes以外のダミーバイト部の情報を復元する。更に、Layer_indicator及びAC_data_effective_bytesについて、放送ＴＳ２のLayer_indicator及びAC_data_effective_bytesに戻し、放送ＴＳ２のＴＳパケットのダミーバイト部の情報を復元する。
【００５６】
ＮＵＬＬパケット挿入部２５は、抽出された順に放送ＴＳ２のＴＳパケットを並べ、計算されたフレーム多重パターンに基づいて、そのパケットの間にＮＵＬＬのＴＳパケットを挿入していき、放送ＴＳ２を再構築する。
【００５７】
ダミーバイト部置換部２６は、再構築された放送ＴＳ２のＴＳパケットのダミーバイト部を、復元された放送ＴＳ２のダミーバイト部に置換し、放送ＴＳ２を復元する。
【００５８】
続いて、図７の動作フローチャートを用いて、再構築装置２の動作を説明する。
【００５９】
まず、再構築装置２に放送ＴＳ１が入力される（Ｓｔｅｐ２００）。
【００６０】
分離部２１は、放送ＴＳ１のＴＳパケットのダミーバイト部を参照し、放送ＴＳ１から放送ＴＳ２のＴＳパケットを抽出する（Ｓｔｅｐ２０１）。
【００６１】
ＭＣＣＩデータ抽出部２２は、放送ＴＳ１からＩＩＰを取得して、ＭＣＣＩデータを抽出する（Ｓｔｅｐ２０２）。
【００６２】
フレーム多重パターン計算部２３は、抽出されたＭＣＣＩデータに基づいて、放送ＴＳ２のフレーム多重パターンを計算する（Ｓｔｅｐ２０５）。
【００６３】
ＮＵＬＬパケット挿入部２５は、抽出された順に放送ＴＳ２のＴＳパケットを並べ、計算されたフレーム多重パターンに基づいて、その放送ＴＳ２のＴＳパケットの間にＮＵＬＬのＴＳパケットを挿入する（Ｓｔｅｐ２０６）。
【００６４】
一方、ダミーバイト部復元部２４は、抽出されたＭＣＣＩデータに基づいて、放送ＴＳ２のLayer_indicator及びAC_data_effective_bytes以外のダミーバイト部の情報を復元する（Ｓｔｅｐ２０３）。
【００６５】
また、ダミーバイト部復元部２４は、Layer_indicator及びAC_data_effective_bytesについて、放送ＴＳ２のものに変換する（Ｓｔｅｐ２０４）。
【００６６】
ダミーバイト部置換部２６は、再構築された放送ＴＳ２におけるＴＳパケットのダミーバイト部の情報を、復元された放送ＴＳ２のダミーバイト部の情報に置換する（Ｓｔｅｐ２０７）。
【００６７】
そして、復元された放送ＴＳ２を送出する（Ｓｔｅｐ２０８）。
【００６８】
尚、放送ＴＳ１であるが、放送ＴＳ２のＴＳパケットの抽出後、その放送ＴＳ２のＴＳパケットの代わりにＮＵＬＬのＴＳパケットを挿入しても良い。このようにすれば、元の放送ＴＳ１を復元することができる。また、放送ＴＳ２のＴＳパケットが多重された状態で放送ＴＳ１を再送信しても良い。放送ＴＳ１の受信側では、放送ＴＳ２のＴＳパケットを無視して処理するので、そのままでも実害はない。
【００６９】
上述の如く、放送ＴＳの未使用領域を有効に活用することで、周波数の有効利用が可能となり、新たな回線を必要とせず、コストの低減も図れる。
＜第２の実施の形態＞
第２の実施の形態を説明する。
【００７０】
第２の実施の形態は、複数の放送ＴＳに少なくとも１以上の放送ＴＳを多重することを特徴とする。尚、理解を容易にするため、以下の説明では、多重する放送ＴＳを放送ＴＳ２とし、放送ＴＳ２を放送ＴＳ１〜放送ＴＳｎ（放送ＴＳ２を除く）に多重する例を説明する。また、第１の実施の形態と同様な部分については、詳細な説明を省略する。
【００７１】
図８は第２の実施の形態の構成図である。
【００７２】
図８に示す如く、第２の実施の形態では、放送ＴＳ１〜放送ＴＳｎが中継装置１０に入力され、放送ＴＳ２が放送ＴＳ１〜放送ＴＳｎ（放送ＴＳ２を除く）に多重されて出力されている。そして、放送ＴＳ１〜放送ＴＳｎ（放送ＴＳ２を除く）が中継装置２０に入力され、中継装置２０により放送ＴＳ１〜放送ＴＳｎ（放送ＴＳ２を除く）から放送ＴＳ２が分離・再構築されて放送ＴＳ１〜放送ＴＳｎが出力される。
【００７３】
第２の実施の形態の中継装置１０の詳細を説明する。
【００７４】
図９は第２の実施の形態の中継装置１０のブロック図である。
【００７５】
第２の実施の形態の中継装置１０が第１の実施の形態の中継装置１０と異なる所は、複数の多重化差装置１１及び多重化差装置１３〜１ｎと、多重する放送ＴＳ２のＴＳパケットを各多重化差装置１１及び多重化差装置１３〜１ｎに分配する分配装置３とを有する点である。
【００７６】
分配装置３は、多重する放送ＴＳ２のＴＳパケットを各多重化差装置１１〜１ｎに分配するが、その分配方法は単に放送ＴＳの若い番号順に繰り返し分配すれば良い。例えば、多重化差装置１１、多重化差装置１３、…、多重化差装置１ｎの順番に放送ＴＳ２のＴＳパケットを分配し、再び、多重化差装置１１、多重化差装置１３、のように繰り返して分配していく。
【００７７】
また、多重される各放送ＴＳのＮｕｌｌパケットを計測していき、各放送ＴＳの平均Ｎｕｌｌパケット数を求め、各放送ＴＳの平均Ｎｕｌｌパケット数の割合に応じて、多重する放送ＴＳ２のＴＳパケットを各多重化差装置１１〜１ｎに分配するようにしても良い。
【００７８】
次に、第２の実施の形態の多重化差装置１１及び多重化差装置１３〜１ｎを説明する。
【００７９】
第２の実施の形態の多重化差装置１１及び多重化差装置１３〜１ｎは、基本的には第１の実施の形態の多重化差装置１と同様である。しかしながら、ダミーバイト部変更部１２は、ダミーバイト部のTSP_counterについて、多重する放送ＴＳ２のＴＳパケットのTSP_counterの値を変更せずに、そのまま付与する。このようにすることにより、放送ＴＳ２を再構築する際に、放送ＴＳ２が複数の放送ＴＳに多重された場合であっても、放送ＴＳ２を再構築する際に放送ＴＳ２のＴＳパケットの順番がわかる。他の構成については、同様である。
【００８０】
続いて、中継装置１０の動作を説明する。
【００８１】
図１０は第２の実施の形態の中継装置１０の動作フローチャートである。
【００８２】
まず、多重化差装置１１及び多重化差装置１３〜１ｎに放送ＴＳ１〜放送ＴＳｎ（放送ＴＳ２を除く）が入力される（Ｓｔｅｐ３００）。
【００８３】
続いて、放送ＴＳ２のＴＳパケットが分配装置３により分配され、例えば、各放送ＴＳの平均Ｎｕｌｌパケット数の割合に応じて、各多重化差装置１１及び多重化差装置１３〜１ｎに入力される（Ｓｔｅｐ３０１）。
【００８４】
各多重化差装置１１及び多重化差装置１３〜１ｎのパケット削除部１１は、入力された放送ＴＳ２のＴＳパケットから、ＮＵＬＬパケットを削除する（Ｓｔｅｐ３０２）。
【００８５】
ダミーバイト部変更部１２は、ＮＵＬＬパケットが削除された放送ＴＳ２のＴＳパケット（２０４バイト）のダミーバイト部を書き換える。具体的には、ＴＳパケット（２０４バイト）のうち、実データ（１８８バイト）はそのまま、８バイトのダミーデータ部の情報の変更を行う。変更を行うものは、Layer_indicator及びAC_data_effective_bytesである（Ｓｔｅｐ３０３）。Layer_indicatorは、事業者が独自のデータを多重するTSPであることを識別する識別子（1001〜1111）を用いて、放送ＴＳ２の階層情報に変更する。また、AC_data_effective_bytesについては、４バイトのうち２バイトづつを各ＴＳの識別に用いる。
【００８６】
続いて、Layer_indicator及びAC_data_effective_bytes以外のダミーバイト部の情報については、TSP_counterの値は放送ＴＳ２のままにし、他の情報は放送ＴＳ１用に変更する（Ｓｔｅｐ３０４）。
【００８７】
各多重化差装置１１及び多重化差装置１３〜１ｎの多重化部１３は、ダミーバイト部が変更された放送ＴＳ２のＴＳパケットを、放送ＴＳのＮＵＬＬパケットの代わりに多重する（Ｓｔｅｐ３０５）。
【００８８】
そして、放送ＴＳ２のＴＳパケットが多重された放送ＴＳを送出する（Ｓｔｅｐ３０６）。
【００８９】
次に、第２の実施の形態の中継装置２０の再構築装置２の詳細を説明する。
【００９０】
図１１は第２の実施の形態の中継装置１０の再構築装置２のブロック図である。
【００９１】
第２の実施の形態の再構築装置２は、図１１に示す如く、分離部２１１及び２１３〜２１ｎと、ＭＣＣＩデータ抽出部２２と、フレーム多重パターン計算部２３と、ダミーバイト部復元部２４と、ＮＵＬＬパケット挿入部２５と、ダミーバイト部置換部２６と、ＴＳＰ並替部２７とを備える。
【００９２】
分離部２１１及び２１３〜２１ｎは、第１の実施の形態の分離部２１と同様である。また、フレーム多重パターン計算部２３、ダミーバイト部復元部２４、ＮＵＬＬパケット挿入部２５、及びダミーバイト部置換部２６についても、第１の実施の形態と同様なものである。
【００９３】
ＭＣＣＩデータ抽出部２２は、各放送ＴＳ１〜放送ＴＳｎ（放送ＴＳ２を除く）から放送ＴＳ２のＩＩＰ（ISDB-T Information Packet）を取得して、ＭＣＣＩデータを抽出する。これは、放送ＴＳ２のＩＩＰがいずれの放送ＴＳに多重されているか不明であるため、全ての放送ＴＳを監視する必要があるからである。
【００９４】
ＴＳＰ並替部２７は、各分離部２１１及び２１３〜２１ｎで抽出された放送ＴＳ２のＴＳパケットを入力し、各ＴＳパケットのTSP_counterの値に基づいて、放送ＴＳ２のＴＳパケットを順番に並び替え、ＮＵＬＬのＴＳパケットを除く放送ＴＳ２を再構築する。尚、ＴＳＰ並替部２７の並び替えの処理は、TSP_counterの値の範囲が限定されているので（カウンタ値がリセットされる）、その範囲内でパケットの並び替えの処理が終了するように動作する。
【００９５】
続いて、第２の実施の形態における再構築装置２の動作を説明する。図１２は第２の実施の形態における再構築装置２の動作フローチャートである。
【００９６】
まず、再構築装置２に各放送ＴＳが入力される（Ｓｔｅｐ４００）。
【００９７】
分離部分離部２１１及び２１３〜２１ｎは、放送ＴＳのＴＳパケットのダミーバイト部を参照し、放送ＴＳから放送ＴＳ２のＴＳパケットを抽出する（Ｓｔｅｐ４０１）。
【００９８】
ＴＳＰ並替部２７は、各分離部２１１及び２１３〜２１ｎで抽出された放送ＴＳ２のＴＳパケットを、各ＴＳパケットのTSP_counterの値に基づいて、放送ＴＳ２のＴＳパケットを順番に並び替える（Ｓｔｅｐ４０２）。
【００９９】
一方、ＭＣＣＩデータ抽出部２２は、各放送ＴＳから放送ＴＳ２のＩＩＰを取得して、ＭＣＣＩデータを抽出する（Ｓｔｅｐ４０３）。
【０１００】
フレーム多重パターン計算部２３は、抽出されたＭＣＣＩデータに基づいて、放送ＴＳ２のフレーム多重パターンを計算する（Ｓｔｅｐ４０４）。
【０１０１】
また、ダミーバイト部復元部２４は、抽出されたＭＣＣＩデータに基づいて、放送ＴＳ２のLayer_indicator及びAC_data_effective_bytes以外のダミーバイト部の情報を復元する（Ｓｔｅｐ４０５）。また、ダミーバイト部復元部２４は、Layer_indicator及びAC_data_effective_bytesについて、放送ＴＳ２のものに変換する（Ｓｔｅｐ４０６）。
【０１０２】
ＮＵＬＬ  パケット挿入部２５は、計算されたフレーム多重パターンに基づいて、ＴＳＰ並替部２７によって並び替えられた放送ＴＳ２のＴＳパケットの間にＮＵＬＬのＴＳパケットを挿入し、放送ＴＳ２を再構築する（Ｓｔｅｐ４０７）。
【０１０３】
そして、ダミーバイト部置換部２６は、再構築された放送ＴＳ２におけるＴＳパケットのダミーバイト部の情報を、復元された放送ＴＳ２のダミーバイト部の情報に置換する（Ｓｔｅｐ４０８）。
【０１０４】
最後に、復元された放送ＴＳ２を送出する（Ｓｔｅｐ４０９）。
【０１０５】
尚、放送ＴＳ２が多重されていた各放送ＴＳであるが、放送ＴＳ２のＴＳパケットの抽出後、その放送ＴＳ２のＴＳパケットの代わりにＮＵＬＬのＴＳパケットを挿入しても良い。このようにすれば、元の各放送ＴＳを復元することができる。また、放送ＴＳ２のＴＳパケットが多重された状態で各放送ＴＳを再送信しても良い。各放送ＴＳの受信側では、放送ＴＳ２のＴＳパケットを無視して処理するので、そのままでも実害はない。
【０１０６】
上述の如く、第１の実施の形態の効果に加え、複数の放送ＴＳの未使用領域を有効に活用することで、より有効な周波数利用が可能となる。
【０１０７】
尚、上述した実施の形態では、放送ＴＳ２のＴＳパケットの並び替えに、TSP_counterの値を用いたが、ダミーバイト部のcount_down_indexを利用しても良い。
【０１０８】
また、多重側で多重するＴＳパケットを分配する際に、次に分配する放送ＴＳを識別する識別情報を、そのcount_down_indexに付与しても良い。このようにすれば、抽出されたＴＳパケットをバッファすることなく、ＴＳパケットの並び替えの処理を行うことができる。尚、count_down_indexは、ＩＩＰから再生可能なため、放送ＴＳの多重の際に異なる情報に置き換えても問題とならない。
＜第３の実施の形態＞
第３の実施の形態を説明する。
【０１０９】
第３の実施の形態は、ＳＴＬ／ＴＴＬ回線において、各中継局で各ＳＴＬ／ＴＴＬ回線を監視し、障害が発生したＳＴＬ／ＴＴＬ回線における放送ＴＳを他の放送ＴＳに多重することを特徴とする。
【０１１０】
図１２は第３の実施の形態における中継装置１０のブロック図である。上述した第２の実施の形態と異なる所は、各回線を監視する監視装置４を備えることである。
【０１１１】
監視装置４は、各ＳＴＬ／ＴＴＬ回線を監視し、いずれかのＴＬ／ＴＴＬ回線で障害が発生すると、その回線を分配装置３に通知する。
【０１１２】
分配装置３では、障害が発生した回線の放送ＴＳを他の放送ＴＳに、上述した実施の形態の如く分配する。
【０１１３】
各多重化差装置１１〜１ｎは、上述した実施の形態と同様な動作を行う。
【０１１４】
このように構成することで、各局の回線の安全性を低コストに高めることができ、周波数選択性の妨害に対しても、対応することができる。
【０１１５】
尚、上述した実施の形態では、中継装置、多重化差装置、再構築装置の各部をハードウェアで構成したが、各部の動作をＣＰＵ等に実行させるプログラムによっても実現できる。
【０１１６】
以上好ましい実施の形態をあげて本発明を説明したが、本発明は必ずしも上記実施の形態に限定されるものではなく、その技術的思想の範囲内において様々に変形し実施することが出来る。
【符号の説明】
【０１１７】
１            多重化装置
２            再構築装置
３            分配装置
４            監視装置
１０，２０    中継装置
１１          ＮＵＬＬ  パケット削除部
１２          ダミーバイト部変更部
１３          多重化部
２１          分離部
２２          ＭＣＣＩデータ抽出部
２３          フレーム多重パターン計算部
２４          ダミーバイト部復元部
２５          ＮＵＬＬ  パケット挿入部
２６          ダミーバイト部置換部
２７          ＴＳＰ並替部
【図１】
2010252136.tif 000003
【図２】
2010252136.tif 000004
【図３】
2010252136.tif 000005
【図４】
2010252136.tif 000006
【図５】
2010252136.tif 000007
【図６】
2010252136.tif 000008
【図７】
2010252136.tif 000009
【図８】
2010252136.tif 000010
【図９】
2010252136.tif 000011
【図１０】
2010252136.tif 000012
【図１１】
2010252136.tif 000013
【図１２】
2010252136.tif 000014
【図１３】
2010252136.tif 000015